(57)【特許請求の範囲】
【請求項１】
アース接触部を有する被取付体に取付けられる端子台であって、前記被取付体に取付ける取付面を有し前記取付面にアース用スリットを有するハウジングと、このハウジングに収納されて電線接続端子部とアース端子部を有する端子装置とを備え、
前記アース端子部は前記アース用スリットから外方に突出して前記アース接触部に接触するアース端子と、前記ハウジング内で前記アース端子を突出方向に付勢するばね部を有し、前記電線接続端子部は速結端子でありかつ前記ばね部の弾性変形による前記アース端子の後退位置を規制するストッパ部を有し、
前記端子装置は前記速結端子と前記アース端子部とをつなぐ細長の導電板を有し、前記ばね部は前記導電板の長手方向に形成された切り筋により前記導電板の一側縁と前記切り筋との間に形成した両持ち支持梁であり、前記アース端子は前記導電板の前記一側縁より板厚方向に折曲されている端子台。
【請求項２】
アース接触部を有する被取付体に取付けられる端子台であって、前記被取付体に取付ける取付面を有し前記取付面にアース用スリットを有するハウジングと、このハウジングに収納されて電線接続端子部とアース端子部を有する端子装置とを備え、
前記アース端子部は前記アース用スリットから外方に突出して前記アース接触部に接触するアース端子と、前記ハウジング内で前記アース端子を突出方向に付勢するばね部を有し、前記電線接続端子部は速結端子でありかつ前記ばね部の弾性変形による前記アース端子の後退位置を規制するストッパ部を有し、
前記端子装置は前記速結端子と前記アース端子部とをつなぐ細長の導電板を有し、前記ばね部は前記導電板の一側縁から前記導電板の長手方向に延びた切り筋により前記導電板の一側縁と前記切り筋との間に形成された片持ち支持梁であり、前記アース端子は前記導電板の前記一側縁より板厚方向に折曲されている端子台。
【請求項３】
前記速結端子と前記アース端子は前記切り筋を間にして前記導電板の両側に連接されている請求項１または請求項２記載の端子台。
【請求項４】
前記被取付体の前記アース端子が接触する部分は前記アース端子が穴縁に接触するように嵌合するアース用穴であり、前記アース端子の板幅方向と異なる方向の前記アース用穴の縁部にスリットを有する請求項１から請求項３のいずれか一項記載の端子台。
【発明の詳細な説明】
【技術分野】
【０００１】
この発明は、例えば誘導灯照明器具または非常灯照明器具に内蔵する電子回路に電源を接続するための電源端子台などの端子台に関するものである。
【背景技術】
【０００２】
従来のアース端子を有する端子台として、取付面に突出したアース端子とアース端子の両側に位置決め突起を設け、かつ、アース端子の近傍に１点のねじ止め用取付穴を設けたものがあった（例えば特許文献１参照）。
【０００３】
また別の端子台として、２点の取付部とそれらを結ぶ線上から外れた位置にアース端子を突出したものもあった。
【特許文献１】特開平５−３０７９７９号公報
【発明の開示】
【発明が解決しようとする課題】
【０００４】
これらのアース端子は取付板のアース接触部となる、板厚や加工公差に配慮したアース用穴に対応しなければならないが、従来例のうち前者では位置決め突起があるものの１点止めであるため、後者では２点止めであるが取付部とアース端子の間に距離があるため、いずれもアース端子に十分な圧力を掛けられない。このため、アース端子自体にばね性をもたせるとともにアース用穴の公差に対応するため先端を尖らせ、端子台からの突出長さが長い端子構造をとることが多かった。
【０００５】
しかしながら、誘導灯照明器具においてはデザイン面から器具を薄く作る必要があるため、アース端子の出代を短くすることが必要であった。
【０００６】
したがって、この発明の目的は、アース端子を長くすることなく確実に被取付体に接触することができる端子台を提供することである。
【課題を解決するための手段】
【０００７】
この発明の端子台は、アース接触部を有する被取付体に取付けられるものである。ハウジングは前記被取付体に取付ける取付面を有し前記取付面にアース用スリットを有する。端子装置はハウジングに収納されて電線接続端子部とアース端子部を有する。前記アース端子部は前記アース用スリットから外方に突出して前記アース接触部に接触するアース端子と、前記ハウジング内で前記アース端子を突出方向に付勢するばね部を有する。前記電線接続端子部は前記ばね部の弾性変形による前記アース端子の後退位置を規制するストッパ部を有する。
【０００８】
上記構成において、前記電線接続端子部は速結端子であり、前記端子装置は前記速結端子と前記アース端子部とをつなぐ細長の導電板を有し、前記ばね部は前記導電板の長手方向に形成された切り筋により前記導電板の一側縁と前記切り筋との間に形成した両持ち支持梁であり、前記アース端子は前記導電板の前記一側縁より板厚方向に折曲したものである。
【０００９】
上記構成において、前記電線接続端子部は速結端子であり、前記端子装置は前記速結端子と前記アース端子部とをつなぐ細長の導電板を有し、前記ばね部は前記導電板の一側縁から前記導電板の長手方向に延びた切り筋により前記導電板の一側縁と前記切り筋との間に形成された片持ち支持梁であり、前記アース端子は前記導電板の前記一側縁より板厚方向に折曲したものである。
【００１０】
上記構成において、前記速結端子と前記アース端子は前記切り筋を間にして前記導電板の両側に連接されている。
【００１１】
上記構成において、前記被取付体の前記アース端子が接触する部分は前記アース端子が穴縁に接触するように嵌合するアース用穴であり、前記アース端子の板幅方向と異なる方向の前記アース用穴の縁部にスリットを有する。
【発明の効果】
【００１２】
この発明の端子台によれば、アース端子を突出方向に付勢するばね部を有するため、ばね部を例えば電源端子台の取付方向と直交する方向に設けることができるので、アース端子の特に電源端子台からの突出長さを短くすることができる。またストッパ部によりばね部の過変形を防止することができる。
【００１３】
ばね部を切り筋により形成された両持ち梁とすることにより、切り筋の長さを変えることで容易にばね定数を変えることが可能となる。
【００１４】
切り筋を間にして速結端子とアース端子を設けることにより、材料歩留りを向上することができる。
【００１５】
スリットにより、アース用穴の縁部に弾性を付与することができるので、アース接続の信頼性をさらに向上することができる。
【発明を実施するための最良の形態】
【００１６】
この発明の第１の実施の形態の電源端子台を図１から図１２により説明する。すなわち、この電源端子台はハウジング１内に速結端子２などの電線接続端子やアース端子３８を設けた端子装置を収納している。
【００１７】
ハウジング１は樹脂製のボディ３と樹脂製のカバー４からなる。ボディ３は底浅の箱形であり、周囲は前端壁５、後端壁６および両側壁７、８からなっており、底部の外面が取付面３ａとなっている。後端壁６および両側壁７、８は同じ高さであるが、前端壁５はそれらよりも高くかつ他の壁と同じ高さに外方に張り出す段部９を形成し、段部９の先端からさらに支持壁１０を立設している。ボディ３内には前端壁５と後端壁６との間をつなぐように複数条例えば４条の隔壁１１を設けて隔壁１１および側壁７、８との間に形成される溝のうち中央の溝を除く４条を端子収納溝１２としている。これらの端子収納溝１２内に位置するように支持壁１０に端子支持用のスリット１３を形成している。また一側壁８の前端壁５寄りに前端壁５の幅を狭くする凹部１４を形成している。さらに両側壁７、８にそれぞれカバー固定部としてカバー取付け爪１５を突設している。
【００１８】
カバー４はボディ３に冠合する相似形状をなしており、前端壁５の前面には被さらないで前方に張り出す端子押さえ片１６を設けている。カバー４の両側壁にカバー取付け爪１５を嵌合させる連結孔４６を形成するとともに取付部１７をカバー４の開口端よりも上方に位置して外方に張り出している。１８はねじ挿通穴である。１９は凸部であり、ねじ挿通穴１８の径とこれに挿通するねじの径との差による電源端子台の取付部１７での位置ずれを防止する位置決めに用いる。これは電線を速結端子２に差し込んだり抜き出す場合に加わる外力によって電源端子台が動くのを確実に防止し、後述の刃形端子３６の差し込み時のおよび差し込み状態でのねじれ等の変形を防止することを目的としている。
【００１９】
カバー４の上面は前端から後端にかけて波形に形成している。波形の山は２つであり、各山の傾斜面２０〜２３のうち端子押さえ片１６に向いた傾斜面２０、２２にそれぞれ電線挿入穴２４ａ〜２４ｄ、２５ａ〜２５ｄを形成している。これらの電線挿入穴２４ａ〜２４ｄ、２５ａ〜２５ｄはボディ３の４個の端子収納溝１２に対向するように形成されている。この場合、電線挿入穴２４ｃ、２４ｄの間および電線挿入穴２５ｃ、２５ｄの間に識別用突起２６を設けている。識別用突起２６は端に位置する電線挿入穴２４ｄ、２５ｄがアース端子用であることを示し、電源端子用の電線挿入穴２４ａ〜２４ｃおよび２５ａ〜２５ｃとの識別を容易にしている。カバー４の他の傾斜面２１、２３はボディ３の相隣接する端子収納溝１２にまたがるように電線解除部２８が一体形成されている。各電線解除部２８は相隣接する端子収納溝１２に収納される速結端子２の電線を同時に解除するようにしている。
【００２０】
端子装置は各端子収納溝１２に収納される。端子装置の速結端子２は、各端子収納溝１２に収納される細長の導電板３０に形成されている。ボディ３の両側の端子収納溝１２に収納される導電板３０はそれぞれ互いに反対側で側壁７、８に近い側部にカバー４の各波形の山に対応して２個の端子部３１を立ち上げている。端子部３１には鎖錠片３２、電線接続部３３および電線接触部３４が形成されている。鎖錠片３２と電線接続部３３の間の電線挿入部分は電線挿入穴２４ａ、２４ｄ、２５ａ、２５ｄに対向するように傾斜しており、カバー４の電線解除部２８のある傾斜面２１、２３の内側に位置している。したがって、電線挿入穴２４ａ、２４ｄ、２５ａ、２５ｄより電線を挿入すると電線の先端が鎖錠片３２と電線接続部３３との間に挿入され、電線接触部３４に接触した状態で結線状態となる。またその状態で電線解除部２８を押すと鎖錠片３２が押圧されて鎖錠片３２の電線への食い込みが解除され、電線を引き抜くことができる。７６は鎖錠片３２の過変形防止片であり、端子部３１に切り起こされている。
【００２１】
また、導電板１２のボディ３の前端壁５側に収納される一端部の側部より刃形端子３６が立ち上がるように折り曲げられている。刃形端子３６は導電板３０の前端より逆Ｌ字形に前方に延出している。導電板３０を端子収納溝１２に収納した状態で刃形端子３６は支持壁１０のスリット１３に挿通され、これに位置決めされ変形防止されている。また刃形端子３６の先端部には縦長のリブ３７を形成し、リブ３７の下端は刃形端子３６の下端すなわち差し込み端よりも若干上側すなわち後端寄りに位置し、上端は刃形端子３６の上端（後端）まで延びている。
【００２２】
速結端子２と刃形端子３６は導電板３０の同じ側部より立ち上げており、４つ並んだ導電板３０のうちの１つおきの導電板３０は、導電板３０の同じ側部より端子部３１および刃形端子３６を立ち上げ、隣合う導電板３０の端子部３１および刃形端子３６は導電板３０の反対側の側部より立ち上げて対称な形状となっている。速結端子２のうち凹部１４に隣接する端子収納溝１２に収納されたものはアース用であり、他は電源用または送り用である。
【００２３】
さらに速結端子２のうちのアース用端子はアース端子部７０を設けている。アース端子部７０はばね部７１とアース端子３８からなる。ばね部７１は刃形端子３６寄りの速結端子２の立ち上がり位置に、導電板３０の長手方向に切り筋７２を付け、切り筋７２と速結端子２の立ち上がり側と反対側の導電板３０の側部との間の両持ち支持梁により形成している。アース端子３８は両持ち支持梁に形成されるが、切り筋７２を間にして速結端子２の立ち上がり側と反対側の側部より速結端子２の端子部３１と反対向きに折曲している。これにより、アース端子３８が導電板３０の板厚方向に弾性を有することとなるが、ばね部７１を挟んでアース端子３８と反対側に速結端子２が配置され、この速結端子２のばね部７１上にストッパ部７４を設けアース端子３８の後退動作を規制し、ばね部７１の過変形を防止している。またアース端子３８を刃形端子３６の基部側で切り筋７２を間にして導電板３０の両側に速結端子２とアース端子３８を折曲することにより材料歩留りが悪くならない。
【００２４】
アース端子３８はボディ７の底部に形成したスリット３９より取付面３ａの外部に突出し、ボディ７を被取付体となる例えば器体の金属製の取付板５５に取付ける際に、取付板５５に形成したアース接触部となるアース穴用６０に挿入され圧接接続される。このとき、取付操作によりアース端子３８の先端が取付板５５のアース用穴６０に嵌合するとともに取付方向とは反対の方向の反力を受け、ばね部７１はこの反力により弾性変形可能な変形代を有する。アース用穴６０はアース端子３８の板幅方向と異なる方向例えば板厚方向の縁部にスリット７５を形成し、穴縁に弾性を付与している。
【００２５】
この電源端子台の組立は、ボディ３内に速結端子２を収納し刃形端子３６をスリット１３に通し、アース端子３８をスリット３９に通してカバー４をボディ３に閉じることにより行われる。このときカバー４の端子押さえ片１６の下面は刃形端子３６の上端に当接している。
【００２６】
電源端子台は取付板５５に設けたプリント基板のコネクタ４０に接続するように取付板５５に取付けられる。ここで、取付板５５には取付板５の表面に取付面３ａが当接する状態で取付部１７を受けるねじ孔のある取付受け部（図示せず）を突設するとともに、位置決め部５０の穴に嵌合する位置決め受け部（図示せず）を形成している。コネクタ４０の受け部（受け刃）４１に刃形端子３６を差し込む前に位置決め受け部に位置決め部５０が嵌合開始し、電源端子台を取付板５５に位置決めする。このように位置決めされながら、刃形端子３６をコネクタ４０の受け部４１に差し込みボディ３の取付面３ａを取付板５５に置く。刃形端子３６の圧接接続後に取付部１７のねじ挿通孔１８を通して取付板５５の台状の取付受け部のねじ孔にねじを締めつけて固定する。このとき、カバー４の端子押さえ片１６を押すことで確実に刃形端子３６を受け部４１に差し込むことができる。
【００２７】
さらにコネクタ４０または取付板５５に電源端子台の前端両側に延出する側壁を設け、凸部１９に対応してその側壁に凸部１９を位置決めする凹部を形成している。
【００２８】
図９から図１２は誘導灯照明器具を示している。６５は誘導灯照明器具の天井または壁取付け可能な器体、６６はプリント基板６６ａに実装された回路ブロック、６７は壁取付け時の取付孔、６８は電線挿通孔である。電線は径が大きくなるほど曲げ加工が行いにくくなるが、電源端子台の電線挿入穴２４ａ〜２４ｄ、２５ａ〜２５ｄを斜めに形成することにより、差し込み容易になる。７７はコネクタ４０または取付板５５に設けられ電源端子台の前端側部に位置した、凸部１９が位置決め嵌合する凹部を有する側壁である。
【００２９】
この発明の第２の実施の形態を図１３により説明する。すなわち、第１の実施の形態においてばね部７１を両持ち支持梁構造に代えて、導電板３０の一側部から導電板３０の長手方向に切り筋７２を付けて片持ち支持梁構造にしている。
【００３０】
なお、この発明において、端子台は電源端子台に限らない。また電線接続端子部としてねじ端子などがある。
【図面の簡単な説明】
【００３１】
【図１】この発明の第１の実施の形態の電源端子台の端子装置の斜視図である。
【図２】（ａ）はその側面図、（ｂ）はそのＡ−Ａ線断面図である。
【図３】導電板の展開状態の平面図である。
【図４】アース端子と取付板のアース用穴を示す斜視図である。
【図５】電源端子台を裏面側からみた斜視図である。
【図６】電源端子台の上方から斜視図である。
【図７】電源端子台の分解斜視図である。
【図８】刃形端子の接続前の状態の部分断面側面図である。
【図９】誘導灯照明器具の外観斜視図である。
【図１０】器体の蓋を開いた状態の断面図である。
【図１１】平面図である。
【図１２】回路ブロックと電源端子台とを示す部分斜視図である。
【図１３】第２の実施の形態の端子装置の斜視図である。
【符号の説明】
【００３２】
１    ハウジング
２    速結端子
１７    取付部
３６    刃形端子
３８    アース端子
３９    スリット
４０    コネクタ
６０    アース用穴
５０    位置決め部
５５    取付板
７０    アース端子部
７１    ばね部
７２    切り筋
７４    ストッパ部  
７５    スリット
【図１】
0004611849.tif 000002
【図２】
0004611849.tif 000003
【図３】
0004611849.tif 000004
【図４】
0004611849.tif 000005
【図５】
0004611849.tif 000006
【図６】
0004611849.tif 000007
【図７】
0004611849.tif 000008
【図８】
0004611849.tif 000009
【図９】
0004611849.tif 000010
【図１０】
0004611849.tif 000011
【図１１】
0004611849.tif 000012
【図１２】
0004611849.tif 000013
【図１３】
0004611849.tif 000014